【事件の表示】
　平成　９年特許願第１３０２５１号「遮断幕装置」拒絶査定に対する審判事件〔平成１０年１１月１０日出願公開、特開平１０−２９９１０５、請求項の数（３）〕について、次のとおり審決する。
【結　論】
　原査定を取り消す。
　本願の発明は、特許すべきものとする。
【理　由】
１．手続の経緯・本願発明 
　本願は、平成９年５月２日に出願されたものであり、その請求項１ないし３に係る発明（以下、請求項１ないし３に係る発明を「本願発明１ないし３」という。）は、当初明細書及び図面の記載からみて、その請求項１ないし３に記載された事項により特定される次のとおりのものである。　　
「【請求項１】　目地部を介して位置する左右の建物の目地部側の躯体にそれぞれ回動可能に取付けられた一対の回動バーと、この一対の回動バー間に所定間隔で並列配置された複数本の遮断幕支持バーと、前記一対の回動バーに両端部が枢支され、前記複数本の遮断幕支持バーを常時所定間隔となるように枢支する少なくとも２個以上の所定伸縮リンクと、前記左右の建物の目地部側の躯体に両端部が固定されるとともに、前記一対の回動バーおよび複数本の遮断幕支持バーに伸縮可能な撓みを介してそれぞれ固定された断熱あるいは防火のいずれか一方あるいは両方の機能を備える遮断幕とからなることを特徴とする遮断幕装置。
【請求項２】　目地部を介して位置する左右の建物の目地部側の躯体にそれぞれ回動可能に取付けられた一対の回動バーと、この一対の回動バーに所定間隔で並列配置された複数本の遮断幕支持バーと、前記一対の回動バーに両端部が枢支され、前記複数本の遮断幕支持バーを常時所定間隔となるように枢支する少なくとも２個以上のパンタグラフ状の所定伸縮リンクと、前記左右の建物の目地部側の躯体に両端部が固定されるとともに、前記一対の回動バーおよび複数本の遮断幕支持バーに伸縮可能な撓みを介してそれぞれ固定された断熱あるいは防火のいずれか一方あるいは両方の機能を備える遮断幕とからなることを特徴とする遮断幕装置。
【請求項３】　目地部を介して位置する左右の建物の目地部側の躯体にそれぞれ回動可能に取付けられた一対の回動バーと、この一対の回動バー間に所定間隔で並列配置された複数本の遮断幕支持バーと、前記一対の回動バーに両端部が枢支され、前記複数本の遮断幕支持バーを常時所定間隔となるように枢支する四角枠形状のリンク本体、このリンク本体の対応するバー部材に両端部が枢支ピンで枢支された所定間隔に配置された遮断幕支持バーに枢支ピンで枢支される２個以上の中間部支持リンクとで構成した少なくとも２個以上の所定伸縮リンクと、前記左右の建物の目地部側の躯体に両端部が固定されるとともに、前記一対の回動バーおよび複数本の遮断幕支持バーに伸縮可能な撓みを介してそれぞれ固定された断熱あるいは防火のいずれか一方あるいは両方の機能を備える遮断幕とからなることを特徴とする遮断幕装置。」
　
２．引用刊行物記載の発明
　これに対し、原査定の拒絶の理由に引用され、本願の願前に頒布された特開平８−３０２８３７号公報（以下、「引用例１」という。）には、下記（イ）ないし（チ）の記載がある。
（イ）「目地部を介して離間された左右の建物の目地部の対向する左右の壁面に固定された固定金具、この固定金具にそれぞれ回動可能に取付けられた可動金具、この可動金具に両端部が回動可能に取付けられた四角リンク状の支持金具、この支持金具の対向する一方のアームに両端部が回動可能に取付けられた少なくとも１本以上の支持アームとからなる少なくとも２個以上の目地カバー支持金具と、前記目地部を覆う屏風状の目地カバーと、この目地カバーの両端部を前記可動金具あるいは支持金具の両端部に回動可能に取付ける端部取付け具と、前記目地カバーの後方折り曲げ部を前記少なくとも１本以上の支持アームに回動可能に取付ける中央取付け具とを備えることを特徴とする目地カバー装置。」（【特許請求の範囲】【請求項１】）
（ロ）「図１ないし図８の本発明の第１の実施例において、１は目地部２を介して離間された左右の建物３、３の目地部２を覆う本発明の目地カバー装置で、この目地カバー装置１は前記目地部２の対向する左右の壁面３ａ、３ａに所定間隔で取付けられた複数個の目地カバー支持金具４と、この複数個の目地カバー支持金具４に端部取付け具５、５および中央取付け具６を介して取付けられた前記目地部２を覆う屏風状の目地カバー７とで構成されている。」（段落【０００９】）
（ハ）「前記目地カバー支持金具４は前記目地部２の対向する左右の壁面３ａ、３ａに複数本の固定ビス８によってそれぞれ固定されるＣ字状の軸受部９が形成された固定金具１０、１０と、この固定金具１０、１０の軸受部９、９にそれぞれ所定量回動可能に取付けられた玉ぶち形状の可動金具１１、１１と、この可動金具１１、１１に両端部が枢支ピン１２、１２でそれぞれ回動可能に取付けられた四角リンク状の支持金具１３と、この支持金具１３の対向する一方のアーム１３ａ、１３ａのほぼ中央部に両端部が枢支ピン１４、１４によって回動可能に取付けられた支持アーム１５とで構成されている。」（段落【００１０】）
（ニ）「前記目地カバー７は両端部に玉ぶち形状の軸部１６、１６が形成された複数枚、本実施例では４枚の目地カバー本体１７、１７、１７、１７と、この４枚の目地カバー本体１７、１７、１７、１７の先端部の軸部１６、１６および１６、１６を所定量回動可能に支持する並列された２個のＣ字状の軸受部１８、１８が形成された先端部接続金具１９、１９と、前記中央部の後端部の軸部１６、１６を所定量回動可能に支持する両側部に開口部を有するＣ字状の軸受部２０、２０が形成された先端部接続金具２１とで構成されている。」（段落【００１１】）
（ホ）「前記端部取付け具５、５は前記目地カバー７の両端部の軸部１６、１６をそれぞれ所定量回動可能に支持するＣ字状の軸受部２２、２２が形成されるとともに、前記支持金具１３の枢支ピン１２、１２が固定されている。」（段落【００１２】）
（ヘ）「前記中央取付け具６は前記後端部接続金具２１に固定された前記支持アーム１５のほぼ中央部に形成された軸孔２３に挿入され、ダブルナット２４、２４で回動可能に取付けられるボルト２５で構成されている。」（段落【００１３】）
（ト）「上記構成の目地カバー装置１は左右の建物３、３が左右方向に揺れ動くと、目地カバー支持金具４の支持金具１３が図６および図７に示すように左右方向に伸縮するとともに、目地カバー７も屏風状となっているので、該伸縮に応じて左右方向に伸縮する。」（段落【００１４】）
（チ）「また、支持金具１３の両端部は可動金具１１、１１を介して固定金具１０、１０（１は１０の誤記）に取付けられているので、左右の建物３、３が前後方向に揺れ動くと、図８に示すように可動金具１１、１１が回動し、その動きに追従するとともに、目地カバー７も追従して動く。」（段落【００１５】）
　したがって、引用例１には、「目地部を介して位置する左右の壁面に固定された固定金具１０，１０にそれぞれ回動可能に取付けられた一対の可動金具１１、１１と、前記一対の可動金具１１、１１に両端部が枢支される少なくとも２個以上の四角リンク状の支持金具４と、前記左右の建物の目地部側の固定金具１０，１０に両端部が固定されるとともに、前記一対の可動金具１１、１１および目地カバーとからなる目地カバー装置」が記載されていると認められる。　
　同じく、実願平３−３８９０９号（実開平４−１２３９０４号）のマイクロフイルム（以下、「引用例２」という。）には、下記（リ）の記載がある。
（リ）「間隔部１を介して対向する第１躯体２と第２躯体３との間に、介装されて該間隔部１を閉じる耐火帯構造に於て、複数のヒンジ15…にて波型に折畳展開変形可能に、順次連結されると共に、上記第１躯体２と第２躯体３とを橋絡状として該第１・第２躯体２，３に取付けられる金属製帯板14から成る補強橋絡部材５を、耐火帯本体４の一面４ａに、該耐火帯本体４を横切る方向に、添設したことを特徴とする耐火帯構造。」（【実用新案登録請求の範囲】【請求項１】）
　同じく、実願平２−４３５８５号（実開平４−１９１２号）のマイクロフイルム（以下、「引用例３」という。）には、下記（ヌ）ないし（ル）の記載がある。
（ヌ）「耐火帯の一方表面に金属製の摺動部材を固定し、この摺動部材縁材に形成された支持片に当接させた状態で前記縁材とともに支持片よりも側端部側で躯体に固定し、耐火帯の他方表面上にカバープレートを配置し、カバープレートよりも外方に配置されたシール部材によって、そのカバープレートを弾発的に押圧することを特徴とする耐火帯の取付構造。」（【実用新案登録請求の範囲】）
（ル）「本考案は、相互に間隔をあけて隣接する建築構造物などの一対の躯体間に配置される耐火帯の取付構造に関する。」（明細書第１頁１５行〜１７行）
　
３．対比・判断
（３−１）本願発明１について
　そこで、本願発明と引用例１記載の発明とを比較すると、引用例１記載の発明の「左右の壁面」、「可動金具１１、１１」、「四角リンク状の支持金具」、「目地カバー」、「目地カバー装置」は、本願発明の「左右の建物の目地部側の躯体」、「回動バー」、「所定伸縮リンク」、「遮断幕」、「遮断幕装置」に相当するから、両者は、
「目地部を介して位置する左右の建物の目地部側の躯体にそれぞれ回動可能に取付けられた一対の回動バーと、前記一対の回動バーに両端部が枢支されるように枢支する少なくとも２個以上の所定伸縮リンクと、前記左右の建物の目地部側の躯体に両端部が固定されるとともに、前記一対の回動バーにそれぞれ固定された遮断幕とからなる遮断幕装置」に係る点で一致し、次の点で相違している。
相違点
　本願発明の遮断幕装置は、「一対の回動バー間に所定間隔で並列配置された複数本の遮断幕支持バーと、前記複数本の遮断幕支持バーを常時所定間隔となるように枢支する少なくとも２個以上の所定伸縮リンクと、前記左右の建物の目地部側の躯体に両端部が固定されるとともに、前記一対の回動バーおよび複数本の遮断幕支持バーに伸縮可能な撓みを介してそれぞれ固定された断熱あるいは防火のいずれか一方あるいは両方の機能を備える遮断幕とからなる」ものであって、「複数本の遮断幕支持バー」を有する構成になっているが、上記引用例１に記載の遮断幕装置は、そのような構成になっていない点。
相違点の検討
　上記相違点を検討する。引用例２，３記載の発明は、本願発明１と同様に、「目地部を介して位置する左右の建物の目地部側の躯体に取付けられた遮断幕とからなる遮断幕装置」の技術分野に関するものであるが、本願発明の「複数本の遮断幕支持バー」に相当する構成を有していない。
　そして、本願発明１は、上記相違点に係る構成を遮断幕装置の主要な構成要件とすることにより、「【００２３】
（１）目地部を介して位置する左右の建物の目地部側の躯体にそれぞれ回動可能に取付けられた一対の回動バーと、この一対の回動バー間に所定間隔で並列配置された複数本の遮断幕支持バーと、前記一対の回動バーに両端部が枢支され、前記複数本の遮断幕支持バーを常時所定間隔となるように枢支する少なくとも２個以上の所定伸縮リンクと、前記左右の建物の目地部側の躯体に両端部が固定されるとともに、前記一対の回動バーおよび複数本の遮断幕支持バーに伸縮可能な撓みを介してそれぞれ固定された断熱あるいは防火のいずれか一方あるいは両方の機能を備える遮断幕とで構成されているので、地震等によって左右の建物が揺れ動いても、一対の回動バーの回動および所定伸縮リンクの伸縮によって、その揺れ動きを吸収することができる。
　したがって、地震等の揺れ動きで損傷することなく使用することができる。
【００２４】
（２）前記（１）によって、遮断幕を所定伸縮リンクによって所定間隔に伸縮される遮断幕支持バーに固定しているので、遮断幕を小さな撓みを介して遮断幕支持バーに固定することができる。
　したがって、風が吹き付けても遮断幕は小さな撓みであるため、従来のようにばたつき、騒音が発生したりするを効率よく防止することができる。
【００２５】
（３）前記（１）によって、構造が簡単であるので、容易に設置することができる。」という特有の効果を奏するものである。
　したがって、本願発明１は、上記引用例１ないし３に記載の発明に基づいて当業者が容易に発明できたものではない。
（３−２）本願発明２について
　本願発明２は、請求項１記載の本願発明１において、「複数本の遮断幕支持バーを常時所定間隔となるように枢支する少なくとも２個以上の所定伸縮リンク」に係る「所定伸縮リンク」を、「２個以上のパンタグラフ状の所定伸縮リンク」と限定したものであるが、「複数本の遮断幕支持バー」が引用例１ないし３に記載されていない以上、本願発明１と同様に、本願発明２は、上記引用例１ないし３に記載の発明に基づいて当業者が容易に発明できたものではない。
（３−３）本願発明３について
　本願発明３は、請求項１記載の本願発明１において、「複数本の遮断幕支持バーを常時所定間隔となるように枢支する少なくとも２個以上の所定伸縮リンク」に係る「所定伸縮リンク」を、「四角枠形状のリンク本体、このリンク本体の対応するバー部材に両端部が枢支ピンで枢支された所定間隔に配置された遮断幕支持バーに枢支ピンで枢支される２個以上の中間部支持リンクとで構成した少なくとも２個以上の所定伸縮リンク」と限定したものであるが、「複数本の遮断幕支持バー」が引用例１ないし３に記載されていない以上、本願発明１と同様に、本願発明３は、上記引用例１ないし３に記載の発明に基づいて当業者が容易に発明できたものではない。
　
４．むすび
　以上、本願については、原査定の拒絶理由を検討してもその理由によって拒絶すべきものとすることはできない。
　また、他に本願を拒絶すべき理由を発見しない。
　よって結論のとおり審決する。